(57)【要約】【課題】部品点数の少ない簡単な構成となって支持部材への係脱作業が容易に行え、係止状態の信頼性も高い高所係止用フックを提供する。【解決手段】高所係止用フック１において、係止側開口３を開閉するストッパ１０を備えたフック本体２を操作棒６に沿ってスライド可能に連結すると共に、操作棒６の上端にフック本体２の上方への抜け止め部となるホルダ７を設けて、ストッパ１０とホルダ７との間に、ホルダ７によるフック本体２の抜け止め位置でストッパ１０を係止側開口３の閉塞位置へ移動させ、フック本体２に対する操作棒６の相対的な上昇に伴うホルダ７の上昇位置でストッパ１０を係止側開口３の開放位置へ移動させるステー１８，１８を架設した。【選択図】図１
2015136485.tif 000002
【特許請求の範囲】
【請求項１】
前側に係止側開口を有する鈎状のフック本体に、下端が前記フック本体の下部へ回転可能に連結されて前記係止側開口を前記フック本体の内側から閉塞する閉塞位置と、前記内側へ退避して前記係止側開口を開放する開放位置との間を移動可能なストッパを設け、前記フック本体における前記係止側開口よりも後方部位に操作棒を上下方向に連結した高所係止用フックであって、
前記フック本体を前記操作棒に沿ってスライド可能に連結すると共に、前記操作棒の上端に前記フック本体の上方への抜け止め部を設けて、前記ストッパと前記抜け止め部との間に、前記抜け止め部による前記フック本体の抜け止め位置で前記ストッパを前記閉塞位置へ移動させ、前記フック本体に対する前記操作棒の相対的な上昇に伴う前記抜け止め部の上昇位置で前記ストッパを前記開放位置へ移動させるリンク部材を架設したことを特徴とする高所係止用フック。
【請求項２】
前記リンク部材を、前記フック本体を挟んで左右一対設けたことを特徴とする請求項１に記載の高所係止用フック。
【請求項３】
前記フック本体に前記操作棒が遊挿されるスリーブを設けて前記フック本体を前記操作棒に沿ってスライド可能としたことを特徴とする請求項１又は２に記載の高所係止用フック。
【発明の詳細な説明】
【技術分野】
【０００１】
本発明は、操作棒を用いて高所の支持部材に係止させて親綱等を支持部材から吊り下げるために用いられる高所係止用フックに関する。
【背景技術】
【０００２】
電柱等での高所作業の際には、親綱や緊急ロック式巻き取り器等を繋いだ高所係止用フックを操作棒によって高所の支持部材に係止させ、吊り下げた親綱等に作業者の腰に巻き付けた安全帯を接続して墜落防止を図るようにしている。
この高所係止用フックには、係止した支持部材を抜け止めするストッパが設けられているが、フックを支持部材に係止させたり作業終了後に支持部材から外したりする際にはストッパを抜け止め位置から退避させる必要があり、このストッパの退避を実現するために種々の提案がなされている。例えば特許文献１には、フックを連結した操作棒の先端に設けたネジ部に押圧片を螺合させ、この押圧片をバネによって抜け止め位置へ付勢されるキャップ（ストッパ）の端部に当接させて、操作棒の回転操作による押圧片のネジ送りでキャップを退避位置へ揺動させるようにした親綱取付具の発明が記載されている。また、特許文献２には、フックへ連結される片開翼（ストッパ）をバネによって抜け止め位置へ付勢すると共に、ストッパに補助翼を設けて、操作棒の先端に設けたフックを補助翼に係止させてストッパを連係動作させて退避位置へ移動させるようにした高所係止用フックの発明が記載されている。さらに、特許文献３には、フックにゲート（ストッパ）の中央部を軸によって回転可能に連結して、ストッパの端部を操作棒によって持ち上げることで、ゲートに設けたガイドピンをフックに設けたガイドに沿って摺動させながら退避位置へ回転させるようにした遠隔脱着型ゲート付きフックの発明が記載されている。
【先行技術文献】
【特許文献】
【０００３】
【特許文献１】実開昭６３−９２６５２号公報
【特許文献２】特許第４３３１３５５号公報
【特許文献３】特開２０００−３２３号公報
【発明の概要】
【発明が解決しようとする課題】
【０００４】
しかし、特許文献１の発明では、フックの係脱の度に操作棒の回転操作が必要になって作業が煩わしい。また、特許文献２の発明では、ストッパに加えて補助翼が必要となって部品点数が増える上、操作棒にも特殊なフックを設ける必要が生じてコストアップに繋がる。さらに、特許文献３の発明では、フックにガイドを設ける必要がある上、抜け止め位置のゲートは端部に設けた受枠部材の重みにより保持される構造であるため、ゲートが偶発的に外れるおそれがある。
【０００５】
そこで、本発明は、部品点数の少ない簡単な構成となって支持部材への係脱作業が容易に行え、係止状態の信頼性も高い高所係止用フックを提供することを目的としたものである。
【課題を解決するための手段】
【０００６】
上記目的を達成するために、請求項１に記載の発明は、前側に係止側開口を有する鈎状のフック本体に、下端がフック本体の下部へ回転可能に連結されて係止側開口をフック本体の内側から閉塞する閉塞位置と、内側へ退避して係止側開口を開放する開放位置との間を移動可能なストッパを設け、フック本体における係止側開口よりも後方部位に操作棒を上下方向に連結した高所係止用フックであって、フック本体を操作棒に沿ってスライド可能に連結すると共に、操作棒の上端にフック本体の上方への抜け止め部を設けて、ストッパと抜け止め部との間に、抜け止め部によるフック本体の抜け止め位置でストッパを閉塞位置へ移動させ、フック本体に対する操作棒の相対的な上昇に伴う抜け止め部の上昇位置でストッパを開放位置へ移動させるリンク部材を架設したことを特徴とするものである。
請求項２に記載の発明は、請求項１の構成において、リンク部材を、フック本体を挟んで左右一対設けたことを特徴とするものである。
請求項３に記載の発明は、請求項１又は２の構成において、フック本体に操作棒が遊挿されるスリーブを設けてフック本体を操作棒に沿ってスライド可能としたことを特徴とするものである。
【発明の効果】
【０００７】
請求項１に記載の発明によれば、ストッパと抜け止め部との間にリンク部材を架設させれば足り、部品点数の少ない簡単な構成となる。また、操作棒の上下操作のみでストッパの開閉が可能となるため、支持部材への係脱作業が容易に行える。さらに、操作棒の自重を利用してストッパの閉塞位置が保持されるため、係止状態の信頼性も高くなる。
請求項２に記載の発明によれば、請求項１の効果に加えて、リンク部材を左右一対設けたことで、左右のバランスを維持してストッパをスムーズに開閉動作させることができる。また、操作棒に対するフック本体の回り止め作用も得られる。
請求項３に記載の発明によれば、請求項１又は２の効果に加えて、スリーブの採用により操作棒に対するフック本体のスライドを傾きなく円滑に行うことができる。
【図面の簡単な説明】
【０００８】
【図１】高所係止用フックの側面図である。
【図２】閉塞位置のストッパ及びステー部分を上方から見た説明図である。
【図３】スリーブ部分の縦断面図である。
【図４】高所係止用フックの側面図である（ストッパは開放位置）。
【発明を実施するための形態】
【０００９】
以下、本発明の実施の形態を図面に基づいて説明する。
図１は、高所係止用フックの一例を示す側面図で、図１では左側を前方、右側を後方として説明する。高所係止用フック１は、前側に係止側開口３を有して上端を平坦とした鋼製で鈎状のフック本体２を備え、フック本体２の下端には、親綱等を接続する接続孔４が形成されている。また、フック本体２の下部後方側には、スリーブ５が上下方向へ一体に設けられて、スリーブ５内に操作棒６がスライド可能に挿入されている。この操作棒６の上端には、図２，３に示すように、抜け止め部となる鋼製で倒コ字状のホルダ７が、左右の側板８，８を前後方向に向けた姿勢でボルト９によって固定されており、ホルダ７がスリーブ５の上端に当接することで、スリーブ５から下方への操作棒６の抜けが規制されるようになっている。
【００１０】
１０は、フック本体２の係止側開口３を開閉可能な鋼製のストッパで、フック本体２の下部における接続孔４の上方部位で段付きピン１２によって下端が回転可能に連結される帯板状の一対のアーム１１，１１と、そのアーム１１，１１の上端に挟まれて上端の鈎部１４を外向きに突出させたフック板１３とからなる。アーム１１，１１とフック板１３とは、長手方向に並べた一対のピン１５，１５によって連結されている。一方、フック本体２の先端には、係止孔１７を設けた鋼製の係止板１６が設けられており、ストッパ１０を段付きピン１２を中心に前方へ回転させると、フック板１３の鈎部１４がフック本体２の内側から係止孔１７に係止して係止側開口３を閉塞し、ストッパ１０を後方へ回転させると、フック板１３の鈎部１４が係止孔１７から離れて係止側開口３を開放する。
【００１１】
そして、操作棒６のホルダ７とストッパ１０との間には、リンク部材としての一対の鋼製のステー１８，１８が架設されている。このステー１８，１８は、フック本体２を挟んだ左右対称に配置されて、ホルダ７側では、各ステー１８の後端部がホルダ７の側板８，８の外側に位置してボルト１９及びナット２０によって回転可能に連結される。２１は、ボルト１９に外装されるスリーブで、側板８，８を貫通して左右のステー１８，１８に当接することで、ステー１８，１８間の間隔を保持している。一方、ステー１８，１８のストッパ１０側では、各ステー１８の前端部がアーム１１，１１の上端外側に位置して段付きピン２２によって回転可能に連結される。よって、ステー１８，１８は、中間部位で折曲されて、ホルダ７に連結される後端部間の間隔の方が、ストッパ１０に連結される前端部間の間隔よりも広くなっている。間隔の狭い前端部側で段付きピン２２より内側部位も、段付きピン２３によって互いに連結されている。
【００１２】
以上の如く構成された高所係止用フック１においては、図１のようにスリーブ５の上端にホルダ７が当接する操作棒６の下限位置（フック本体２の抜け止め位置）では、左右のステー１８，１８は略水平姿勢となって、前端部を最も前方に位置させる。この状態でステー１８，１８に連結されるストッパ１０は、フック板１３の鈎部１４が係止板１６の係止孔１７に係止して係止側開口３を閉塞する（閉塞位置）。ここからフック本体２に対して操作棒６を上昇させる（或いは操作棒６に対してフック本体２を下降させる）と、ホルダ７と共に左右のステー１８，１８の後端部がフック本体２に対して上昇するため、図１に二点鎖線で示すように、ステー１８，１８の前端部はストッパ１０基端の段付きピン１２を中心とした円弧軌跡状を後方へ移動して徐々に起立姿勢となるため、ストッパ１０もステー１８，１８に従って後方へ回転する。ステー１８，１８の起立が終了してホルダ７のボルト１９とストッパ１０基端の段付きピン１２との距離が最大となる操作棒６の上限位置では、図４に示すようにストッパ１０は係止側開口３を開放することになる（開放位置）。
【００１３】
よって、この高所係止用フック１を高所の支持部材Ｗに係止させる際には、フック本体２の接続孔４に親綱等を接続して操作棒６を鉛直方向に支持すれば、フック本体２は自重によって下降し、相対的に操作棒６がフック本体２に対して上昇して上限位置に移動するため、前述のようにステー１８，１８を介してストッパ１０を図４の開放位置に移動させる。よって、操作棒６を操作して係止側開口３から支持部材Ｗを通してフック本体２を係止させることができる。
その後、操作棒６から手を離すと、今度は操作棒６が自重によってフック本体２に対して下降して下限位置に移動するため、前述のようにステー１８，１８を介してストッパ１０を図１の閉塞位置に移動させる。よって、フック本体２はストッパ１０によって支持部材Ｗからの抜け止めがなされた状態となる。このとき、操作棒６は自重によって常に下限位置に付勢されるため、ステー１８，１８の略水平姿勢は維持されてストッパ１０も閉塞位置で保持される。
【００１４】
なお、作業終了後に高所係止用フック１を取り外す際には、操作棒６を把持してフック本体２に対して上限位置まで上昇させれば、ステー１８，１８を介してストッパ１０は開放位置に移動するため、そのままフック本体２を持ち上げて支持部材Ｗから取り外すことができる。
【００１５】
このように、上記形態の高所係止用フック１によれば、係止側開口３を開閉するストッパ１０を備えたフック本体２を操作棒６に沿ってスライド可能に連結すると共に、操作棒６の上端にフック本体２の上方への抜け止め部となるホルダ７を設けて、ストッパ１０とホルダ７との間に、ホルダ７によるフック本体２の抜け止め位置でストッパ１０を係止側開口３の閉塞位置へ移動させ、フック本体２に対する操作棒６の相対的な上昇に伴うホルダ７の上昇位置でストッパ１０を係止側開口３の開放位置へ移動させるステー１８，１８を架設したことで、ストッパ１０とホルダ７との間にステー１８，１８を架設させれば足り、部品点数の少ない簡単な構成となる。また、操作棒６の上下操作のみでストッパ１０の開閉が可能となるため、支持部材Ｗへの係脱作業が容易に行える。さらに、操作棒６の自重を利用してストッパ１０の閉塞位置が保持されるため、係止状態の信頼性も高くなる。
【００１６】
特にここでは、ステー１８を、フック本体２を挟んで左右一対設けているので、左右のバランスを維持してストッパ１０をスムーズに開閉動作させることができる。また、操作棒６に対するフック本体２の回り止め作用も得られる。
さらに、フック本体２に操作棒６が遊挿されるスリーブ５を設けてフック本体２を操作棒６に沿ってスライド可能としているので、操作棒６に対するフック本体２のスライドを傾きなく円滑に行うことができる。
【００１７】
なお、上記形態では、ステーを左右一対設けているが、何れか一方のみでもよいし、形状も直線状や円弧状を採用する等、適宜変更可能である。また、リンク部材は複数の部材を連結して形成することもできるし、ストッパや抜け止め部との連結部分に長孔を設ける等して姿勢変更時の動きの調整を図ることもできる。
一方、ストッパも、上記形態のようにアームとフック板との複数の部材からなるものに限らず、単一の部材で形成してもよく、形状も、棒材を使用したり、板材をコ字状に折曲したり等、上記形態に限定されない。先端のフック形状をなくしてストッパ先端がフック板に設けた溝等に係止する構造としても差し支えない。フック本体の形状も先端に係止孔や溝を直接形成する等して設計変更可能である。
【００１８】
さらに、抜け止め部も、リンク部材の連結が可能であれば、ホルダ以外の他の形状を採用したり、操作棒の上端に設けた大径部等としたりすることもできる。フック本体と操作棒との連結も、スリーブに代えて複数のリング体を軸方向に並べて操作棒を貫通させたりする等、操作棒のスライド連結が可能であれば適宜変更可能である。リンク部材が単一の部材であれば、フック本体と操作棒との間にキー結合等の回り止め手段を設けてもよい。
【符号の説明】
【００１９】
１・・高所係止用フック、２・・フック本体、３・・係止側開口、５・・スリーブ、６・・操作棒、７・・ホルダ、９，１９・・ボルト、１０・・ストッパ、１１・・アーム、１２，２２，２３・・段付きピン、１３・・フック板、１６・・係止板、１７・・係止孔、１８・・ステー、Ｗ・・支持部材。
【図１】
2015136485.tif 000003
【図２】
2015136485.tif 000004
【図３】
2015136485.tif 000005
【図４】
2015136485.tif 000006